(57)【特許請求の範囲】
【請求項１】
所定の設置面に載置される略箱体状のラック部と、前記ラック部に立設されたパネル部と、前記ラック部の底面から前記パネル部の背面に沿って配設された金属製の支持フレームと、薄型テレビを取り付けるため、前記パネル部に開設された開口部を通して前記支持フレームに連結されたテレビ保持部と、を備え、
前記支持フレームと前記テレビ保持部とを、回転軸を垂直にして対向配置した少なくとも一対の蝶番部材及びそれぞれの前記蝶番部材の羽根板を回転可能に保持する垂直支軸を用いて連結したことを特徴とするテレビボード。
【請求項２】
薄型テレビを前記テレビ保持部に着脱可能に取り付けるため、前記薄型テレビの背面に装着されるマウント部材と、前記テレビ保持部に対し前記マウント部材を前後方向に傾斜可能に保持する傾動機構と、を設けた請求項１記載のテレビボード。
【請求項３】
前記傾動機構として、前記テレビ保持部に上下方向に間隔をおいて水平かつ平行に配置された少なくとも一対の係止部材を設け、前記マウント部材に、一方の前記係止部材に回転可能に係止されるフック部と、他方の前記係止部材に前後方向に移動可能に係止される調節部と、を設けた請求項２記載のテレビボード。
【発明の詳細な説明】
【技術分野】
【０００１】
本発明は、液晶テレビ、プラズマテレビなどの薄型テレビを設置するためのテレビボードに関する。
【背景技術】
【０００２】
液晶テレビ、プラズマテレビなどの薄型テレビを居室内に設置する場合、従来、ラック形式のテレビボードがある（例えば、特許文献１参照。）。この形式のテレビボードは、その上面に薄型テレビを載置するだけで使用することができ、内部に設けられた棚にＤＶＤレコーダ、ＨＤレコーダなどのＡＶ機器を収納することができるため、使い勝手も良好である。一方、薄型テレビを回動アームなどの可動部材に取り付け、必要に応じて、テレビ画面の向きを、ある程度自由に変更することができるものも提案されている（例えば、特許文献２参照。）。
【０００３】
【特許文献１】特開２００４−１５３７７１号公報
【特許文献２】特開２００７−２０９６２２号公報
【発明の開示】
【発明が解決しようとする課題】
【０００４】
特許文献１記載の「ＡＶシステムラック」は薄型テレビを載置するだけで使用できるため使い方は簡単であるが、テレビ画面の向きを変更したい場合、当該薄型テレビに付属している専用スタンドの回動・傾動機能の範囲内でしか対応できない。このため、部屋の状況や視聴者の好みに応じた状態にテレビ画面の向きを設定できないことがある。
【０００５】
一方、特許文献２記載の「テレビ取付装置を備えた収納棚」は、専用スタンドを使わずに薄型テレビが取り付けられるため、テレビ取付装置の回転・傾動機能の範囲内で、比較的自由にテレビ画面の向きを変更することができる。しかしながら、このテレビ取付装置は、回動アームの先端付近に薄型テレビを吊り下げ保持する方式であるため、構造上、重量の大きな薄型テレビを取り付けることができない。このため、近年における画面サイズの大型化に対応することが困難である。
【０００６】
本発明が解決しようとする課題は、比較的大型の薄型テレビを安定状態に設置することができ、テレビ画面の向きを広範囲に変更可能な、テレビボードを提供することにある。
【課題を解決するための手段】
【０００７】
本発明のテレビボードは、所定の設置面に載置される略箱体状のラック部と、前記ラック部に立設されたパネル部と、前記ラック部の底面から前記パネル部の背面に沿って配設された金属製の支持フレームと、薄型テレビを取り付けるため、前記パネル部に開設された開口部を通して前記支持フレームに連結されたテレビ保持部と、を備え、
前記支持フレームと前記テレビ保持部とを、回転軸を垂直にして対向配置した少なくとも一対の蝶番部材及びそれぞれの前記蝶番部材の羽根板を回転可能に保持する垂直支軸を用いて連結したことを特徴とする。
【０００８】
このような構成とすれば、薄型テレビが取り付けられるテレビ保持部は、ラック部の底面からパネル部の背面に沿って配設された金属製の支持フレームに連結された状態となるため、比較的大型の薄型テレビを安定状態に設置することができる。また、支持フレームとテレビ保持部とが、回転軸を垂直にして対向配置した少なくとも一対の蝶番部材及びそれぞれの蝶番部材の羽根板を回転可能に保持する垂直支軸で連結されたことにより、テレビ保持部は左右方向に回転可能、前後方向に進退可能となるため、テレビ保持部に取り付けられたテレビ画面の向きを広範囲に変更可能である。
【０００９】
ここで、薄型テレビを前記テレビ保持部に着脱可能に取り付けるため、前記薄型テレビの背面に装着されるマウント部材と、前記テレビ保持部に対し前記マウント部材を前後方向に傾斜可能に保持する傾動機構と、を設ければ、薄型テレビを前後方向に傾動させることができるため、テレビ画面の向きの変更範囲を拡げることができる。
【００１０】
この場合、前記傾動機構として、前記テレビ保持部に上下方向に間隔をおいて水平かつ平行に配置された少なくとも一対の係止部材を設け、前記マウント材に、一方の前記係止部材に回転可能に係止されるフック部と、他方の前記係止部材に前後方向に移動可能に係止される調節部と、を設ければ、テレビ画面の傾斜状態を容易に変更することができる。
【発明の効果】
【００１１】
本発明により、比較的大型の薄型テレビを安定状態に設置することができ、テレビ画面の向きを広範囲に変更可能な、テレビボードを提供することができる。
【発明を実施するための最良の形態】
【００１２】
以下、図面に基づいて、本発明の実施の形態について説明する。図１は本発明の実施の形態であるテレビボードを示す一部省略正面図、図２は図１に示すテレビボードの左側面図、図３は図１に示すテレビボードの背面図、図４は図１に示すテレビボードの一部省略分解斜視図である。また、図５は図１に示すテレビボードを構成する支持フレームの正面図、図６は図５に示す支持フレームの左側面図、図７は図４に示すラック部の背面側斜視図、図８は図７に示すラック部の底面側斜視図である。
【００１３】
図１〜図４に示すように、本実施形態のテレビボード１０は、床面Ｆなどの所定の設置面に載置される略箱体状のラック部５０と、ラック部５０の天板５３の後縁部に立設されたパネル部３０と、ラック部５０の底面からパネル部３０の背面に沿って配設された金属製の支持フレーム７３と、薄型テレビＴＶを取り付けるため、パネル部３０の平板部材３１の略中央に開設された開口部３２を通して支持フレーム７３に連結されたテレビ保持部７１と、を備えている。
【００１４】
支持フレーム７３とテレビ保持部７１とは、後述する図１２に示すように、回転軸７２ａを垂直にして対向配置した一対の蝶番部材７２と、それぞれの蝶番部材７２の羽根板７２ｂの端縁を回転可能に保持する垂直支軸７２ｆ，７２ｒと、を用いて連結されている。二本の垂直支軸７２ｒは、支持フレーム７３の接合板７４に複数のネジ７４ｂで固定された断面コ字状の接合部材７２ｃに互いに平行に取り付けられ、二本の垂直支軸７２ｆは、テレビ保持部７１背面に設けられた断面コ字状の保持部材７１ａに互いに平行に取り付けられている。
【００１５】
図４に示すように、接合板７４には、左右一対のネジ孔７４ａが上下方向に一定間隔ごとに４段設けられているため、図３に示すように、接合部材７２ｃ（図６参照）に設けられた４個のネジ孔（図示せず）と、これらのネジ孔７４ａのうちのいずれか４個とを連通させた状態でネジ７４ｂが螺着されている。従って、４個のネジ孔７４ａを選択することにより、接合部材７２ｃの固定高さを変更することができる。本実施形態では上下４段にネジ孔７４ａを設けているため、接合部材７２ｃの固定高さを３段階に変更することができるが、これに限定しないので、ネジ孔７４ａの個数や間隔を変更すれば、固定高さの調整範囲や調整間隔を変更することができる。
【００１６】
図４〜図６に示すように、支持フレーム７３は、ラック部５０の底面に配設される水平部７３ｈと、パネル部３０の背面側に配設される垂直部７３ｖと、で構成された、側面視形状がＬ字状をした枠状構造体である。支持フレーム７３を構成する金属材料の種類や形状は特に限定しないが、本実施形態では、断面四角形の棒状鋼材を縦横に組合せ、コーナー部を溶接することによって形成している。
【００１７】
図５，図６に示すように、支持フレーム７３と、一対の蝶番部材７２及び複数の垂直支軸７２ｆ，７２ｒなどを介して支持フレーム７３の正面に連結されたテレビ保持部７１とによってテレビ支持体７０が形成されている。テレビ保持部７１は、保持部材７１ａと、保持部材７１ａ正面の左右端部及び中央部に垂直方向に設けられたリブ状の補強板７１ｄ，７１ｅと、補強板７１ｄ，７１ｅの上下端部をそれぞれ水平に貫通した状態で配置された円柱状の上部係止部材７１ｂ及び下部係止部材７１ｃと、を備えている。下部係止部材７１ｃの左右には、それぞれ係止具７７が、下部係止部材７１ｃの軸方向にスライド可能に取り付けられている。上部係止部材７１ｂと下部係止部材７１ｃとは互いに平行をなすように配置されている。
【００１８】
図１，図４に示すように、パネル部３０は、平板部材３１と、その外周に沿って額縁状に固定された枠部材３４と、で形成され、平板部材３１に開設された開口部３２の両側に複数のネジ孔３５が設けられている。また、電源コードや各種信号ケーブルなどを通すため、平板部材３１の下方左右のコーナー部分にそれぞれ貫通孔３３が開設されている。さらに、平板部材３１の下縁に位置する枠部材３４には、複数の切欠部３６とネジ孔３７とが設けられている。
【００１９】
図１，図４に示すように、ラック部５０の下方には３つの抽斗５２が設けられ、その上方には左右３つに区画された棚部５１が設けられている。図４，図７に示すように、ラック部５０の天板５３の後縁部には、二つの切欠部５４と複数のネジ孔５５とが設けられている。図７，図８に示すように、ラック部５０の底部は、底板５６ａとその下面に接合された板状及びリブ状の接地部材５６ｂとで構成されている。底板５６ａ及び接地部材５６ｂの後縁部には、二つの切欠部５４と同間隔で二つの切欠部５７が設けられている。また、図８に示すように、底板５６ａの下面側に、支持フレーム７３（図４参照）の水平部７３ｈを配設するための収容部５６ｃが設けられている。
【００２０】
図４に示すように、ラック部５０の天板５３の後縁部にパネル部３０を載置し、複数のネジ孔５５とネジ孔３７とを連通させ、それぞれのネジ孔３７からネジ孔５５に向かってネジ（図示せず）を挿入して締め付ければ、ラック部５０上にパネル部３０が固定され、切欠部３６，５４同士は上下に連通した状態となる。この後、図４に示すように、支持フレーム７３の水平部７３ｈをラック部５０底面の収容部５６ｃ（図８参照）に配設するとともに、垂直部７３ｖを切欠部３６，５４，５７に嵌め込むことにより、垂直部７３ｖをラック部５０の背面及びパネル部３０の背面に配設する。これにより、パネル部３０のネジ孔３５と垂直部７３ｖのネジ孔７５とが連通するので、これらのネジ孔３５，７５にネジ（図示せず）を挿入して、締め付ければ、ラック部５０及びパネル部３０に支持フレーム７３が固定される。そして、図１に示すように、パネル部３０の開口部３２に面している接合板７４に、接合部材７２ｃを取り付ければ、支持フレーム７３にテレビ保持部７１が連結される。なお、図３に示すように、支持フレーム７３の水平部７３ｈの下面は、ラック部５０の接地部材５６ｂとともに床面Ｆに当接するように構成されている。
【００２１】
次に、図９〜図１５に基づいて、テレビボード１０に対する薄型テレビＴＶの取り付け機構について説明する。図９は薄型テレビ背面へのマウント部材の装着手順を示す説明図、図１０は図９に示すマウント部材の斜視図、図１１は薄型テレビ背面にマウント部材を装着した状態を示す左側面図、図１２はマウント部材を装着した薄型テレビをテレビ保持部の上部係止部材に係止した状態を示す部分斜視図、図１３はテレビ保持部の下部係止部材へのマウント部材の固定機構を示す部分斜視図、図１４はテレビ保持部の下部係止部材にマウント部材を固定した状態を示す部分斜視図、図１５は図１に示すテレビボードに薄型テレビを設置した状態を示す一部切欠正面図、図１６は図１５に示すテレビボードの左側面図である。
【００２２】
図９に示すように、薄型テレビＴＶをテレビ保持部７１（図６参照）に着脱可能に取り付けるため、薄型テレビＴＶの背面に二つのマウント材２０を装着する。マウント材２０は、図１０に示すように、断面コ字状の本体部２０ａと、本体部２０ａ下方に支軸２１を介して回動可能に取り付けられた断面コ字状の調節具２０ｂと、を備えている。本体部２０ａの上端にはフック部２２が設けられ、フック部２２には固定ネジ２９が螺合されている。本体部２０ａの上方部分には複数のネジ孔２３が一定間隔ごとに設けられ、その下方には、本体部２０ａの長手方向に沿ってスリット状の長孔２４が設けられている。また、調節具２０ｂの上面側には、本体部２０ａと交差する方向に長いスリット状の長孔２５が設けられ、下面側には、複数の凹部２６が設けられている。
【００２３】
図９，図１０に示すように、マウント材２０のネジ孔２３及び長孔２４を薄型テレビＴＶに向けた状態で、二本のマウント材２０をそれぞれ薄型テレビＴＶ背面に垂直状態で当接させ、複数のネジ孔２３の何れかと、薄型テレビＴＶ背面に設けられている複数の取付孔（図示せず）の何れかと、が重なり合うように位置合わせを行う。これにより、ネジ孔２３の下方にある長孔２４の一部も前記取付孔のいずれかに重なり合った状態となるため、前記取付孔と重なり合ったネジ孔２３及び長孔２４の一部に、複数の貫通孔２７ａを有する座金板２７を介して固定ネジ２８を挿入し、前記取付孔に螺着すれば、図１１に示すように、薄型テレビＴＶの背面にマウント材２０が固定される。
【００２４】
次に、図１２に示すように、薄型テレビＴＶの背面をテレビ保持部７１に向け、二つのマウント材２０のフック部２２をそれぞれ上部係止部材７１ｂに引っ掛けると、薄型テレビＴＶがテレビ保持部７１に仮固定される。なお、上部係止部材７１ｂの水平方向の長さには余裕があるため、薄型テレビＴＶの大小により、二つのマウント材２０の装着間隔が変化しても対応可能である。
【００２５】
次に、図１３に示すように、マウント材２０下方の調節具２０ｂを支軸２１中心に上方に回転させて傾斜姿勢にし、薄型テレビＴＶとともにマウント材２０を上部係止部材７１ｂ（図１２参照）中心に傾動させ、下部係止部材７１ｃに装着された係止具７７の上方に調節具２０ｂを配置する。そして、調節具２０ｂを支軸２１中心に下方に回転させ、係止具７７を構成する円筒状のスリーブ７７ａ外周に立設されたボルト部７７ｂを調節具２０ｂの長孔２５に挿通させるとともに、調節具２０ｂの凹部２６の何れかを係止具７７のスリーブ７７ａに嵌合させ、長孔２５から突出したボルト部７７ｂに座金７７ｃ及び蝶ネジ７７ｄを取り付けて締め付ければ、図１４に示すように、調節具２０ｂが下部係止部材７１ｃに固定される。なお、係止具７７のスリーブ７７ａは下部係止部材７１ｃに沿ってスライド可能であるため、薄型テレビＴＶの大小により、二つのマウント材２０の装着間隔が変わっても対応可能である。
【００２６】
この後、図１２に示すように、マウント材２０のフック部２２の固定ネジ２９を締め付けると、その先端部が、フック部２２内に位置する上部係止部材７１ｂの外周を押圧した状態で固定される。従って、地震などの際にマウント材２０のフック部２２が上部係止部材７１ｂから離脱するのを防止することができる。
【００２７】
前述した作業手順により、図１５，図１６に示すように、薄型テレビＴＶは二つのマウント材２０を介してテレビ保持部７１に固定される。この場合、図１３で示したように、係止具７７のスリーブ７７ａに対し、複数の凹部２６のうちの何れかを選択的に嵌合させることにより、図１６に示すように、上部係止部材７１ｂを中心とする薄型テレビＴＶの傾斜角度を変更することができる。なお、凹部２６の個数や配置間隔を増減すれば、薄型テレビＴＶの傾斜角度の変更範囲や調整角度単位を増減することができる。
【００２８】
次に、図１７，図１８に基づき、テレビボード１０のテレビ進退機構及びテレビ回動機構について説明する。図１７は図１５に示すテレビボードにおけるテレビ進退機構を示す部分平面図、図１８は図１５に示すテレビボードにおけるテレビ回動機構を示す部分平面図である。
【００２９】
前述したように、支持フレーム７３の接合板７４とテレビ保持部７１とを連結する一対の蝶番部材７２の羽根板７２ｂはそれぞれ、回転軸７２ａ及び垂直支軸７２ｆ，７２ｒを中心に回転可能である。従って、図１７に示すように、一対の蝶番部材７２をパンタグラフ状に伸縮させれば、薄型テレビＴＶを前後方向に進退させることができる。なお、薄型テレビＴＶをパネル部３０に向かって後退させたとき、テレビ保持部７１の一部が平板部材３１に当接して、損傷を与えるのを防止するため、図１２に示すように、保持部材７１ａ背面の左右両側には、緩衝材付きの複数のストッパ７８が、パネル部３０に向かって突出状に設けられている。
【００３０】
一方、図１８に示すように、二つの蝶番部材７２の一方を屈曲させ、他方を伸展させれば、同図（ａ）に示すように薄型テレビＴＶを右側に向けたり、同図（ｂ）に示すように薄型テレビＴＶを左側に向けたりすることができる。従って、図１６で示した傾動機構と組み合わせて機能させることにより、部屋の状況などに応じて薄型テレビＴＶの向きを適切に設定することができる。
【００３１】
以上のように、テレビボード１０は、金属製の支持フレーム７３、蝶番部材７２及びテレビ保持部７１などによって薄型テレビＴＶを保持することができるため、比較的大型の薄型テレビＴＶであっても安定状態に設置することができる。また、テレビボード１０は傾動機構、進退機構及び回動機構を備えているため、設置された薄型テレビＴＶの画面の向きも広範囲に変更することができる。
【００３２】
なお、本発明はテレビボード１０に限定しないので、必要に応じて、その構成部材のサイズや形状あるいは配置場所などを変更することができる。例えば、音響効果を高めるため、パネル部３０の平板部材３１の代わりに曲面部材を使用したり、薄型テレビＴＶの下方への傾斜角度を拡げるため、マウント材２０の代わりに、下方にフック部２２を有し、上方に調節具２０ｂを有するマウント材を使用したりすることができる。
【産業上の利用可能性】
【００３３】
本発明のテレビボードは、一般住宅や公共施設などに薄型テレビを設置する際に広く利用することができる。
【図面の簡単な説明】
【００３４】
【図１】本発明の実施の形態であるテレビボードを示す一部省略正面図である。
【図２】図１に示すテレビボードの左側面図である。
【図３】図１に示すテレビボードの背面図である。
【図４】図１に示すテレビボードの一部省略分解斜視図である。
【図５】図１に示すテレビボードを構成する支持フレームの正面図である。
【図６】図５に示す支持フレームの左側面図である。
【図７】図４に示すラック部の背面側斜視図である。
【図８】図７に示すラック部の底面側斜視図である。
【図９】薄型テレビ背面へのマウント部材の装着手順を示す説明図である。
【図１０】図９に示すマウント部材の斜視図である。
【図１１】薄型テレビ背面にマウント部材を装着した状態を示す左側面図である。
【図１２】マウント部材を装着した薄型テレビをテレビ保持部の上部係止部材に係止した状態を示す部分斜視図である。
【図１３】テレビ保持部の下部係止部材へのマウント部材の固定機構を示す部分斜視図である。
【図１４】テレビ保持部の下部係止部材にマウント部材を固定した状態を示す部分斜視図である。
【図１５】図１に示すテレビボードに薄型テレビを設置した状態を示す一部切欠正面図である。
【図１６】図１５に示すテレビボードの左側面図である。
【図１７】図１５に示すテレビボードにおけるテレビ進退機構を示す部分平面図である。
【図１８】図１５に示すテレビボードにおけるテレビ回動機構を示す部分平面図である。
【符号の説明】
【００３５】
１０  テレビボード
２０  マウント材
２０ａ  本体部
２０ｂ  調節具
２１  支軸
２２  フック部
２３，３５，３７，５５，７４ａ，７５  ネジ孔
２４，２５  長孔
２６  凹部
２７  座金板
２７ａ，３３  貫通孔
２８，２９  固定ネジ
３０  パネル部
３１  平板部材
３２  開口部
３４  枠部材
３６，５４，５７  切欠部
５０  ラック部
５１  棚部
５２  抽斗
５３  天板
５６ａ  底板
５６ｂ  接地部材
５６ｃ  収容部
７０  テレビ支持体
７１  テレビ保持部
７１ａ  保持部材
７１ｂ  上部係止部材
７１ｃ  下部係止部材
７１ｄ，７１ｅ  補強板
７２  蝶番部材
７２ａ  回転軸
７２ｂ  羽根板
７２ｃ  接合部材
７２ｆ，７２ｒ  垂直支軸
７３  支持フレーム
７３ｈ  水平部
７３ｖ  垂直部
７４  接合板
７４ｂ  ネジ
７７  係止具
７７ａ  スリーブ
７７ｂ  ボルト部
７７ｃ  座金
７７ｄ  蝶ネジ
７８  ストッパ
Ｆ  床面
ＴＶ  薄型テレビ
【図１】
0004536099.tif 000002
【図２】
0004536099.tif 000003
【図３】
0004536099.tif 000004
【図４】
0004536099.tif 000005
【図５】
0004536099.tif 000006
【図６】
0004536099.tif 000007
【図７】
0004536099.tif 000008
【図８】
0004536099.tif 000009
【図９】
0004536099.tif 000010
【図１０】
0004536099.tif 000011
【図１１】
0004536099.tif 000012
【図１２】
0004536099.tif 000013
【図１３】
0004536099.tif 000014
【図１４】
0004536099.tif 000015
【図１５】
0004536099.tif 000016
【図１６】
0004536099.tif 000017
【図１７】
0004536099.tif 000018
【図１８】
0004536099.tif 000019